(57)【要約】【課題】簡単に構成できるとともに、２月の月末の日送りを自動で行うことができるカレンダ機構を提供する。【解決手段】カレンダ機構１０は、第１軸Ｃ１を中心として１日で１回転する小月日回し車２５と、月末つめ５３を有し、１ヶ月で１回転する日車５０と、小月日回し車２５に設けられ、変位しながら小月日回し車２５と同期して回転し、１ヶ月の日数が３０日以下の小月のうち、２月以外の月の末日に月末つめ５３を押して日車５０を第１角度回転させ、２月の末日に月末つめ５３を押して日車５０を第１角度よりも大きい第２角度回転させる小月日送りつめ３５と、を備える。【選択図】図２
2018128377.tif 000002
【特許請求の範囲】
【請求項１】
所定軸を中心として１日で１回転する小月日回し車と、
月末つめを有し、１ヶ月で１回転する日車と、
前記小月日回し車に設けられ、変位しながら前記小月日回し車と同期して回転し、１ヶ月の日数が３０日以下の小月のうち、２月以外の月の末日に前記月末つめを押して前記日車を第１角度回転させ、２月の末日に前記月末つめを押して前記日車を前記第１角度よりも大きい第２角度回転させる小月日送りつめと、
を備えることを特徴とするカレンダ機構。
【請求項２】
前記小月日回し車と同軸に設けられるとともに、１年および４年のうちいずれか一方の期間で１回転する月カムと、
前記月カムの外周面に摺接する摺接部を備えるとともに、前記小月日回し車に対して回動可能に設けられ、前記小月日回し車と同期して前記月カムの周りを回転する小月日送りレバーと、
を備え、
前記月カムの前記外周面は、
前記小月のうち２月以外の月に対応する複数の第１凸部と、
２月に対応し、前記所定軸周りの周方向において前記第１凸部よりも大きく形成された第２凸部と、
を有し、
前記小月日送りつめは、前記小月日送りレバーに設けられ、
前記小月日送りレバーは、前記第１凸部および前記第２凸部に摺接する状態で、前記小月日送りつめを前記月末つめに係合させる、
ことを特徴とする請求項１に記載のカレンダ機構。
【請求項３】
前記小月日回し車には、前記小月日送りレバーの回動範囲を規定する度決めピンが設けられている、
ことを特徴とする請求項１または２に記載のカレンダ機構。
【請求項４】
前記月末つめには、前記小月日送りつめに接触して、前記小月日回し車と同期して回転する前記小月日送りつめを前記月末つめから離間する方向に押圧する押圧部が形成されている、
ことを特徴とする請求項１から３のいずれか１項に記載のカレンダ機構。
【請求項５】
請求項１から４のいずれか１項に記載のカレンダ機構を備えたことを特徴とするムーブメント。
【請求項６】
請求項５に記載のムーブメントを備えたことを特徴とする時計。
【発明の詳細な説明】
【技術分野】
【０００１】
本発明は、カレンダ機構、ムーブメントおよび時計に関するものである。
【背景技術】
【０００２】
月日の表示が可能なカレンダ付時計において、１ヶ月の日数が３０日以下の小月の月末に２日分の日送りを行うことにより、日修正を最低限に抑えるようにしたカレンダ機構は周知である。
【０００３】
例えば、下記特許文献１には、５個の駆動歯を有する月衛星部と、日付ランナと同心で月衛星部と直接駆動関係にある固定遊星トゥースセットと、を有する遊星歯車機構を備えたカレンダ機構が記載されている。
【０００４】
また、下記非特許文献１には、制御カムと、制御カムにより操作される月表示ロッキングアームと、月表示ロッキングアーム回しつめと、日車回しつめと、互いに同軸となるように配置された月星車（月車）および日車と、を備えたカレンダ機構が記載されている。
【先行技術文献】
【特許文献】
【０００５】
【特許文献１】特許第４６２４８４８号公報
【非特許文献】
【０００６】
【非特許文献１】松崎壮一郎、「クロノス日本版」、（株）シムサム・メディア、２０１１年２月３日、ｐ１１４−ｐ１１５
【発明の概要】
【発明が解決しようとする課題】
【０００７】
しかしながら、上記特許文献１に記載の従来技術にあっては、複数の歯車を用いた遊星歯車機構を備えるため、構成が複雑である。また、上記特許文献１および非特許文献１に記載の従来技術にあっては、小月の月末に２日分の日送りを行うので、毎年２月の月末には、手動で追加の日送りを行う必要が生じる。
【０００８】
そこで本発明は、簡単に構成できるとともに、２月の月末の日送りを自動で行うことができるカレンダ機構、ムーブメントおよび時計を提供するものである。
【課題を解決するための手段】
【０００９】
本発明のカレンダ機構は、所定軸を中心として１日で１回転する小月日回し車と、月末つめを有し、１ヶ月で１回転する日車と、前記小月日回し車に設けられ、変位しながら前記小月日回し車と同期して回転し、１ヶ月の日数が３０日以下の小月のうち、２月以外の月の末日に前記月末つめを押して前記日車を第１角度回転させ、２月の末日に前記月末つめを押して前記日車を前記第１角度よりも大きい第２角度回転させる小月日送りつめと、を備えることを特徴とする。
【００１０】
本発明によれば、従来技術のように複雑な遊星歯車機構を用いることなく、小月日回し車と、小月日送りつめと、月末つめを有する日車と、により、簡単な構成でカレンダ機構を構成できる。また、小月日送りつめは、１ヶ月の日数が３０日以下の小月のうち、２月以外の月の末日に月末つめを押して日車を第１角度回転させ、２月の末日に月末つめを押して日車を第１角度よりも大きい第２角度回転させるので、２月の月末に行う日送りの日数を、小月のうち２月以外の月の月末に行う日送りの日数よりも多くすることができる。これにより、従来技術では手動で行っていた２月の月末の日送りを自動で行うことが可能となる。したがって、簡単に構成できるとともに、２月の月末の日送りを自動で行うことができるカレンダ機構を提供できる。
【００１１】
上記のカレンダ機構において、  前記小月日回し車と同軸に設けられるとともに、１年および４年のうちいずれか一方の期間で１回転する月カムと、前記月カムの外周面に摺接する摺接部を備えるとともに、前記小月日回し車に対して回動可能に設けられ、前記小月日回し車と同期して前記月カムの周りを回転する小月日送りレバーと、を備え、前記月カムの前記外周面は、前記小月のうち２月以外の月に対応する複数の第１凸部と、２月に対応し、前記所定軸周りの周方向において前記第１凸部よりも大きく形成された第２凸部と、を有し、前記小月日送りつめは、前記小月日送りレバーに設けられ、前記小月日送りレバーは、前記第１凸部および前記第２凸部に摺接する状態で、前記小月日送りつめを前記月末つめに係合させる、ことが望ましい。
【００１２】
本発明によれば、１年および４年のうちいずれか一方の期間で１回転する月カムと、月カムの周りを回転する小月日送りレバーと、を備え、月カムの外周面は、小月のうち２月以外の月に対応する複数の第１凸部と、２月に対応する第２凸部と、を有するので、小月日送りレバーに設けられた小月日送りつめを、小月のうち２月以外の月と、２月と、小月以外の月（１ヶ月の日数が３１日の大月）と、に対応して変位させることができる。そして、第２凸部は、所定軸周りの周方向において第１凸部よりも大きく形成されているので、小月日送りレバーが第２凸部に摺接する時間は、第１凸部のいずれかに摺接する時間よりも長くなる。これにより、２月の末日において小月日送りレバーが小月日送りつめを月末つめに係合させる時間は、小月のうち２月以外の月の末日において小月日送りレバーが小月日送りつめを月末つめに係合させる時間よりも長くなる。その結果、小月日送りつめは、２月の末日に月末つめを押して日車を第１角度よりも大きい第２角度回転させることが可能となり、２月の月末に行う日送りの日数を、小月のうち２月以外の月の月末に行う日送りの日数よりも多くすることができる。したがって、２月の月末の日送りを自動で行うことができるカレンダ機構を提供できる。
【００１３】
上記のカレンダ機構において、前記小月日回し車には、前記小月日送りレバーの回動範囲を規定する度決めピンが設けられている、ことが望ましい。
【００１４】
本発明によれば、小月日送りレバーの回動範囲が規定されることで、小月日送りレバーの他部品への意図しない接触が生じることを防止できる。これにより、カレンダ機構を含む各種機構に不具合が生じることを抑制できる。
【００１５】
上記のカレンダ機構において、前記月末つめには、前記小月日送りつめに接触して、前記小月日回し車と同期して回転する前記小月日送りつめを前記月末つめから離間する方向に押圧する押圧部が形成されている、ことが望ましい。
【００１６】
本発明によれば、小月日送りつめを月末つめから離間する方向に押圧できるので、小月日送りつめを月末つめから離間する方向に付勢する付勢部材を用いることなく、小月以外の月（１ヶ月の日数が３１日の大月）に小月日送りつめを月末つめから離間させることができる。これにより、小月以外の月に小月日送りつめが月末つめを押して日車を回転させることを防止できる。したがって、カレンダ機構の誤作動を防止できる。
【００１７】
本発明のムーブメントは、上述のカレンダ機構を備えたことを特徴としている。
本発明の時計は、上述のムーブメントを備えたことを特徴としている。
【００１８】
本発明によれば、簡単に構成できるとともに、２月の月末の日送りを自動で行うことができるカレンダ機構を備えているので、信頼性と利便性に優れたムーブメントおよび時計を提供することができる。
【発明の効果】
【００１９】
本発明によれば、簡単な構成で、２月の月末の日送りを自動で行うことができるカレンダ機構を提供できる。
【図面の簡単な説明】
【００２０】
【図１】実施形態に係る時計、ムーブメントおよびカレンダ機構の平面図である。
【図２】実施形態に係る日送り機構の平面図である。
【図３】実施形態に係る月送り機構の平面図である。
【図４】実施形態に係るカレンダ機構における動力伝達経路を示すブロック図である。
【図５】実施形態に係るカレンダ機構の動作を説明する図である。
【図６】実施形態に係るカレンダ機構の動作を説明する図である。
【図７】実施形態に係るカレンダ機構の動作を説明する図である。
【発明を実施するための形態】
【００２１】
以下、本発明の実施形態について図面を参照して説明する。
一般に、時計の駆動部分を含む機械体を「ムーブメント」と称する。このムーブメントに文字板や針等を取り付けて、時計ケースの中に入れて完成品にした状態を時計の「コンプリート」と称する。時計の基板を構成する地板の両側のうち、時計ケースのガラスのある方の側、すなわち文字板のある方の側をムーブメントの「裏側」と称する。また、地板の両側のうち、時計ケースのケース裏蓋のある方の側、すなわち文字板と反対の側をムーブメントの「表側」と称する。また、以下の説明では、図１以降の各平面図における時計回り方向をＣＷ方向といい、反時計回り方向をＣＣＷ方向という。
【００２２】
図１は、実施形態に係る時計、ムーブメントおよびカレンダ機構の平面図である。なお、図１は、ムーブメント１００の裏側から見た平面図である。また、図１では、便宜上、文字板２を透過して各構成部品を図示している。
図１に示すように、時計１は、時に関する情報を示す目盛りなどを含む文字板２を備えている。時計１は、時を示す不図示の時針、分を示す不図示の分針、および秒を示す不図示の秒針を備えている。
【００２３】
また、時計１は、月表示領域４と、日表示領域６と、を有している。
月表示領域４は、概ね時計の６時の位置と時計１の中心との間に設けられた月表示窓４ａを備えている。時計１は、例えば月表示ディスク５に記載された月を表す文字（例えば、図１における「２月」を表す「ＦＥＢ」の文字）を月表示窓４ａから露出させることで、使用者に月の表示を行っている。
【００２４】
日表示領域６は、概ね時計の１２時から６時の範囲に設けられている。時計１は、日付を示す日針７を有している。時計１は、文字板２に記載された「１」から「３１」のいずれかの文字を日針７が指示することで、使用者に日の表示を行っている。
【００２５】
ムーブメント１００は、巻真８と、巻真８の先端に設けられたりゅうず９と、を有している。ムーブメント１００は、りゅうず９を時計ケース１ａから引き出した後、所定方向に回転させることにより、後述の日車５０と月車８０とを回転させて日付と月とを修正することができる。
【００２６】
ムーブメント１００は、カレンダ機構１０を有している。カレンダ機構１０は、日送り機構２０と月送り機構６０とを有する。以下に各図を用いて、日送り機構２０と月送り機構６０とを有するカレンダ機構１０について、詳細に説明する。なお、本実施形態のカレンダ機構１０は、毎年２月の２８日に１日まで自動で日送りを行う、いわゆるセミパーペチュアルカレンダ機構である。
【００２７】
（日送り機構）
図２は、実施形態に係る日送り機構の平面図である。
図２に示すように、日送り機構２０は、主に筒車２１と、小月日回し車２５と、小月日送りレバー３０と、月カム２７と、日回し車４０と、日車５０と、日ジャンパ５６と、を備えている。
【００２８】
筒車２１は、時計ケース１ａ内に収容された例えばモータや香箱車等の不図示の動力源から動力が伝達されて回転する。筒車２１は、所定の軸を中心として、ＣＷ方向に回転する。筒車２１の回転は、例えば日の裏車２２や日回し中間車２３等の輪列を介して、小月日回し車２５に伝達される。
なお、本実施形態では、筒車２１の回転中心は、時計１の中心軸と同一としたが、これに限定されず、ムーブメントの任意の位置に設定することができる。
【００２９】
小月日回し車２５は、日回し中間車２３の日回し中間かな２３ａと噛合する小月日回し歯車２５ａを備えている。小月日回し車２５は、第１軸Ｃ１（所定軸）を中心として、ＣＣＷ方向に１日（すなわち２４時間）で１回転する。小月日回し車２５には、月カム２７が小月日回し車２５と同軸に重ねて設けられている。なお、詳細は後述するが、月カム２７は１２月で１回転するため、小月日回し車２５とは異なる周期で回転する。
【００３０】
小月日回し車２５には、小月日送りレバー３０が設けられている。小月日送りレバー３０は、小月日回し車２５の外縁に沿うように配置されており、全体として略円弧状に形成されている。小月日送りレバー３０は、第１軸Ｃ１の軸方向における月カム２７と同じ位置において、小月日回し車２５に取り付けられている。小月日送りレバー３０は、小月日回し車２５と同期して月カム２７の周りを回転する。
【００３１】
小月日送りレバー３０は、小月日回し車２５に第１軸Ｃ１と平行な軸を中心として回動可能に支持されたレバー本体３１と、レバー本体３１の基端からレバー本体３１とは反対側に向かって延びる尾部３３と、レバー本体３１の先端から突出する摺接つめ３４（摺接部）および小月日送りつめ３５と、を備えている。レバー本体３１は、その回動中心から、第１軸Ｃ１を中心とするＣＷ方向に向かって延びている。尾部３３は、レバー本体３１の基端から、第１軸Ｃ１を中心とするＣＣＷ方向に向かって延びている。尾部３３は、レバー本体３１よりも短く形成されている。尾部３３は、後述の度決めピン３７に、小月日回し車２５の径方向の外側から当接する。
【００３２】
摺接つめ３４は、レバー本体３１の先端から、小月日回し車２５の径方向の内側に向かって突出している。摺接つめ３４は、月カム２７の外周面に摺接可能に形成されている。
小月日送りつめ３５は、レバー本体３１の先端から、小月日回し車２５の径方向の外側に向かって突出している。小月日送りつめ３５は、日車５０に設けられた後述の月末つめ５３を押して、日車５０を回転させる。小月日送りレバー３０は、小月日回し車２５の回転に対応して、第１軸Ｃ１周りをＣＣＷ方向に１日で１回転する。詳細は後述するが、このとき、小月日送りつめ３５は、径方向の内側と外側とに変位しながら回転する。
【００３３】
小月日回し車２５には、度決めピン３７が設けられている。度決めピン３７は、小月日送りレバー３０の尾部３３に対して、小月日回し車２５の径方向の内側から接触する。度決めピン３７は、小月日送りレバー３０の回動範囲の一端を規定している。つまり、度決めピン３７は、小月日送りレバー３０のレバー本体３１が所定の範囲を越えて小月日回し車２５の径方向の外側に向かって変位することを防止している。
【００３４】
月カム２７は、第１軸Ｃ１を中心として１ヶ月あたり３０°ピッチで１ステップずつＣＣＷ方向に回転し、月カム２７は、月車８０（図３参照）と同軸に設けられるとともに月車８０と同期して回転する。
【００３５】
月カム２７の外周面には、複数の凸部２７ａ〜２７ｅが設けられている。月カム２７の凸部２７ａ〜２７ｅは、それぞれ月カム２７の外周面を第１軸Ｃ１周りに１２分割してＣＣＷ方向に順に１月から１２月に割り振ったときに、１ヶ月の日数が３０日以下の小月（２月、４月、６月、９月および１１月）に対応した位置に形成されている。また、複数の凸部２７ａ〜２７ｅの間の底部は、１ヶ月の日数が３１日の大月に対応した位置に形成されている。なお、複数の凸部２７ａ〜２７ｅは、小月のうち２月以外の月（４月、６月、９月および１１月）に対応する第１凸部２７ｂ〜２７ｅと、２月に対応する第２凸部２７ａと、である。
【００３６】
第１凸部２７ｂ〜２７ｅは、小月日回し車２５の径方向の内側から外側に向かうに従い、平面視で先細るように形成されている。第１凸部２７ｂ〜２７ｅは、小月日回し車２５の径方向における外側の端部に設けられた頂部を備えている。第１凸部２７ｂ〜２７ｅの頂部は、第１軸Ｃ１を中心とする円柱面状に形成されている。第１凸部２７ｂの頂部は、４月において、３０日に対応する位置にある月末つめ５３のつめ部５５と対向するように形成されている。第１凸部２７ｃ〜２７ｅも同様である。
【００３７】
第２凸部２７ａは、第１軸Ｃ１周りの周方向において第１凸部２７ｂ〜２７ｅよりも大きく形成されている。第２凸部２７ａは、小月日回し車２５の径方向の内側から外側に向かうに従い、平面視で先細るように形成されている。第２凸部２７ａは、小月日回し車２５の径方向における外側の端部に設けられた頂部を備えている。第２凸部２７ａの頂部は、第１軸Ｃ１を中心とする円柱面状に形成されている。第２凸部２７ａの頂部の半径は、第１凸部２７ｂ〜２７ｅの頂部の半径と等しくなっている。第１軸Ｃ１周りの周方向において、第２凸部２７ａの頂部の寸法は、第１凸部２７ｂ〜２７ｅの頂部の寸法よりも大きくなっている。第２凸部２７ａの頂部は、２月において、２８日から３０日までの期間に対応する位置にある月末つめ５３のつめ部５５と対向するように形成されている。
【００３８】
複数の凸部２７ａ〜２７ｅの間の底部は、第１軸Ｃ１を中心とする円柱面状に形成されている。各底部は、それぞれに対応する月（大月）において、２８日から３０日までの期間に対応する位置にある月末つめ５３のつめ部５５と対向するように形成されている。
【００３９】
小月日送りレバー３０は、摺接つめ３４が月カム２７の外周面に摺接可能な状態で、第１軸Ｃ１周りを回転する。小月日送りつめ３５の先端部は、摺接つめ３４が月カム２７の凸部２７ａ〜２７ｅの頂部と摺接している状態で、小月日回し車２５の径方向における最も外側に位置する。また、小月日送りつめ３５の先端部は、摺接つめ３４が複数の凸部２７ａ〜２７ｅの間の底部と摺接している状態で、小月日回し車２５の径方向における最も内側に位置する。このように、月カム２７は、小月日回し車２５と同期して回転する小月日送りレバー３０の回転に伴って、小月日送りつめ３５を小月日回し車２５の径方向の内側と外側とに変位させている。以下、小月日送りつめ３５が小月日回し車２５の径方向における最も内側に配置された位置を「最内位置」といい、小月日送りつめ３５が小月日回し車２５の径方向における最も外側に配置された位置を「最外位置」という。
【００４０】
小月日回し車２５の回転は、例えば日回し伝え車２４を介して、日回し車４０に伝達される。日回し車４０は、第１軸Ｃ１とは異なる軸を中心として、ＣＣＷ方向に１日（すなわち２４時間）で１回転する。
【００４１】
日回し車４０には、日回しつめ４２が設けられている。日回しつめ４２は、平面視で円弧状に形成されたばね部４３と、ばね部４３の先端に設けられた当接部４５と、を有している。日回しつめ４２は、日回し車４０に対して平面視で重なるように配置される。日回しつめ４２は、日回し車４０と一体的に設けられており、日回し車４０と同期して回転する。ばね部４３は、日回し車４０の周方向および径方向に弾性変形可能とされている。当接部４５は、日回し車４０の回転に伴って、日回し車４０の中心軸周りに回転することにより、日車歯部５１を押して日車５０を回転させる。
【００４２】
日車５０は、円盤状に形成されており、外周縁に日車歯部５１が形成されている。日車歯部５１は、大月の１ヶ月の日数である３１日に対応して、３６０°／３１＝約１１．６°ピッチで３１歯形成されている。日車歯部５１は、１日で１回転する日回しつめ４２の当接部４５によって、１日で１回押される。これにより、日車５０は、第２軸Ｃ２を中心として、日車歯部５１のピッチ角（約１１．６°）と同じ角度ピッチで、１日に１ステップずつＣＷ方向に回転し、１ヶ月（すなわち３１日）で１回転する。
【００４３】
日車５０は、月末つめ５３を有している。月末つめ５３は、第１軸Ｃ１の軸方向における小月日送りレバー３０と同じ位置に設けられている。月末つめ５３は、日車５０の径方向に沿って延びるよう形成されている。月末つめ５３の先端は、平面視で日車５０の径方向の内側から外側に向かうに従い先細るつめ部５５となっている。つめ部５５のうち、第２軸Ｃ２周りのＣＣＷ方向下流側を向く側面５５ａ（押圧部）は、日車５０の径方向の外側に向かって傾斜している。つめ部５５の先端は、日車５０が２８日から３０日までの期間に対応する位置にあるとき、最外位置にある小月日送りつめ３５の回転軌跡の内側を通過するように形成されている。
【００４４】
つめ部５５の側面５５ａには、つめ部５５が月の末日において月カム２７に対向するように位置したとき（例えば図２の状態）に、最外位置にある小月日送りレバー３０の小月日送りつめ３５が接触可能となる。この際、小月日送りレバー３０の摺接つめ３４が月カム２７の凸部２７ａ〜２７ｅの頂部に摺接している場合には、小月日送りつめ３５が小月日回し車２５の径方向内側に向かって変位することが規制されるので、つめ部５５と小月日送りつめ３５とが係合する。これにより、日車５０は、小月日回し車２５とともに回転する小月日送りつめ３５に押されて回転する。また、小月日送りレバー３０の摺接つめ３４が月カム２７の凸部２７ａ〜２７ｅの頂部に摺接していない場合、つめ部５５の側面５５ａは、側面５５ａに接触する小月日送りつめ３５を月カム２７の中心に向けて押圧する。これにより、小月日送りつめ３５は、つめ部５５と係合せずに、つめ部５５から回避する。
【００４５】
日車５０には、日ジャンパ５６が当接している。日ジャンパ５６は、日車５０の回転方向の位置を規正するための部品である。日ジャンパ５６は、先端部５７が自由端とされた弾性変形可能な日ジャンパばね部５８を備えている。日ジャンパばね部５８の先端部５７は、日車歯部５１に係合可能となっている。日ジャンパ５６は、先端部５７が日車歯部５１に係合することにより、日車５０の回転を規正する。これにより、日車５０は、日車歯部５１のピッチ角（約１１．６°）と同じ角度ピッチで、１日に１ステップずつ回転可能となっている。
【００４６】
（月送り機構）
図３は、実施形態に係る月送り機構の平面図である。
図３に示すように、月送り機構６０は、主に日カム６１と、復針レバー７０と、日針車６７と、月車８０と、月ジャンパ８６と、戻し車７８とを備えている。
日カム６１は、日車５０と同期しており、第２軸Ｃ２を中心として、ＣＷ方向に１ヶ月（すなわち３１日）で１回転する。日カム６１の外周面は、ＣＣＷ方向に向かうにしたがって渦巻き状に半径が大きくなるように形成されたカム面６２となっている。カム面６２は、第２軸Ｃ２からの離間距離が最大となる最外部６３と、第２軸Ｃ２からの離間距離が最小となる最内部６４と、を有している。
【００４７】
復針レバー７０は、従節部７１と、レバー本体部７３と、により、全体としてＬ字状に形成されている。復針レバー７０のうち、従節部７１とレバー本体部７３との接続部分は、軸支部７２となっており、所定の軸を中心として往復回動可能に支持されている。
従節部７１の先端は、日カム６１のカム面６２に向かって屈曲形成されている。
レバー本体部７３のうち、軸支部７２とは反対側の端部は、扇形状に形成されるとともに、縁部に形成されたレバー歯部７４を備えている。レバー歯部７４は、後述の日針車６７と噛合している。
【００４８】
復針レバー７０は、日針車６７を介して後述の戻し車７８と連結されている。復針レバー７０は、戻し車７８によって軸支部７２の軸を中心としてＣＷ方向に付勢されている。これにより、従節部７１は、日カム６１のカム面６２に対して押圧されるとともに、日カム６１の回転により日カム６１に対して摺接する。
【００４９】
復針レバー７０の従節部７１は、日カム６１の回転に伴ってカム面６２を摺接しながら相対移動する。
復針レバー７０は、従節部７１が最内部６４に位置したときに、軸支部７２の軸を中心としてＣＷ方向に最大振れた位置となる。以下、復針レバー７０がＣＷ方向に最大振れた位置を「初期位置」という。また、復針レバー７０は、従節部７１が最外部６３に位置したときに、軸支部７２の軸を中心としてＣＣＷ方向に最大振れた位置となる。以下、復針レバー７０がＣＣＷ方向に最大振れた位置を「終期位置」という。なお、図３においては、初期位置にある復針レバー７０を二点鎖線で図示し、終期位置にある復針レバー７０を実線で図示している。ここで、前述のとおり日カム６１は、１ヶ月で１回転する。したがって、復針レバー７０は、初期位置と終期位置との間を１ヶ月で１回往復移動する。
【００５０】
レバー本体部７３には、月送りつめ７５が設けられている。月送りつめ７５は、軸支部７２とレバー歯部７４との間に設けられている。月送りつめ７５は、レバー本体部７３を挟んで日カム６１とは反対側に配置された月車８０に向かって突出するように形成されている。月送りつめ７５は、レバー本体部７３に対して、所定の回動軸を中心として回動可能に支持されている。月送りつめ７５は、各月の末日に月車８０を押して回転させる。
【００５１】
また、レバー本体部７３の中央部分には、レバー本体部７３の延在方向に沿うように、板ばね部７６が形成されている。板ばね部７６は、レバー歯部７４側の一端部がレバー本体部７３に固定されるとともに、軸支部７２側の他端部が自由端とされており、全体が弾性変形可能となっている。板ばね部７６は、他端部が月送りつめ７５の一部と当接しており、回動軸を中心として月送りつめ７５をＣＣＷ方向に向かって付勢している。
【００５２】
日針車６７は、復針レバー７０のレバー歯部７４と噛合している。日針車６７は、日針７（図１参照）と連結されて日針７を回転させる。日針車６７は、復針レバー７０が初期位置にあるとき、最もＣＣＷ方向に回転した状態となる。このとき、日針７は、文字板２に記載された日付を表す「１」から「３１」の数字のうち、「１」を指示する。また、日針車６７は、復針レバー７０が終期位置にあるとき、最もＣＷ方向に回転した状態となる。このとき、日針７は、文字板２に記載された日付を表す「１」から「３１」の数字のうち、「３１」を指示する。これにより、日針７は、日カム６１の回転および復針レバー７０の移動に対応して、１日ごとにステップ運針される。
【００５３】
また、日針車６７は、戻し車７８の付勢力によって復針レバー７０の従節部７１が最外部６３から最内部６４に瞬時に移動し、復針レバー７０が終期位置から初期位置に移動することにより、高速でＣＣＷ方向に回転する。このとき、日針７は、高速でＣＣＷ方向に回転し、文字板２に記載された日付を表す「３１」の数字を指示した状態から、「１」の数字を指示する状態に瞬時に移行する。このように、日針７は、日表示領域６において扇状に往復運針される。
【００５４】
月車８０は、復針レバー７０を挟んで日カム６１とは反対側に、第１軸Ｃ１を中心として回転可能に設けられている。月車８０は、円盤状に形成されており、外周縁に月車歯部８１が形成されている。月車歯部８１は、１年の月数である１２月に対応して、３０°ピッチで１２歯形成されている。月車歯部８１は、復針レバー７０に設けられた月送りつめ７５によって、復針レバー７０が終期位置から初期位置に移動する際に、１回押される。復針レバー７０は、１ヶ月で１往復する。したがって、月車歯部８１は、月送りつめ７５によって１ヶ月で１回押される。
【００５５】
月車８０には、月ジャンパ８６が当接している。月ジャンパ８６は、月車８０の回転方向の位置を規正するための部品であって、先端部８７が自由端とされた弾性変形可能な月ジャンパばね部８８を備えている。月ジャンパばね部８８の先端部８７は、月車歯部８１に係合可能となっている。月ジャンパ８６は、先端部８７が月車歯部８１に係合することにより、月車８０の回転を規正する。これにより、月車８０は、第１軸Ｃ１を中心として１ヶ月あたり３０°ピッチで１ステップずつＣＣＷ方向に回転し、１年で１回転する。
【００５６】
また、月車８０には、月表示ディスク５（図１参照）が設けられている。月表示ディスク５は、月車８０と同軸かつ重ねて設けられるととともに、月車８０と同期して回転する。月表示ディスク５の表面には、各月を表す「ＪＡＮ」（１月）〜「ＤＥＣ」（１２月）の文字が、ＣＷ方向に３０°ピッチで並んで記載されている。
【００５７】
戻し車７８は、日針車６７を介して復針レバー７０と連結しており、復針レバー７０を月車８０に接近する方向に付勢している。戻し車７８は、例えば本体部７８ａが円環状に形成されており、中央の空間部分にひげぜんまい部７９を有している。ひげぜんまい部７９は、一端が時計１の輪列受（不図示）に固定されるとともに、他端が戻し車７８の本体部７８ａに接続されている。ひげぜんまい部７９は、戻し車７８と同軸に設けられており、例えばアルキメデス曲線に沿うように、ＣＣＷ方向周りに螺旋状に形成されている。ひげぜんまい部７９は、戻し車７８がＣＣＷ方向に回転することにより縮径して弾性変形する。
【００５８】
戻し車７８は、復針レバー７０が初期位置から終期位置に移動することにより、日針車６７を介して、ＣＣＷ方向に回転させられる。これにより、戻し車７８のひげぜんまい部７９には、戻し車７８をＣＷ方向に回転させるように付勢力が蓄積される。また、復針レバー７０が終期位置に到達し、従節部７１が日カム６１の最外部６３を通過した直後に、ひげぜんまい部７９の付勢力が開放されるとともに、戻し車７８がＣＷ方向に高速回転する。これにより、復針レバー７０は、終期位置から初期位置に瞬時に移動することができる。
【００５９】
（作用）
図４は、実施形態に係るカレンダ機構における動力伝達経路を示すブロック図である。なお、図４において、実線による矢印は動力伝達の方向を示しており、破線による矢印は位置決めの作用を示しており、二重線は同軸に結合されている状態を示している。
次いで、上述したカレンダ機構１０の作用について説明する。なお、以下におけるカレンダ機構１０の構成部品の符号については、図１から図４を適宜参照されたい。また、以下では、月の初日から末日を経て、翌月の初日になるまでのカレンダ機構１０の作用について説明する。
【００６０】
図４に示すように、モータや香箱車等の不図示の動力源からの動力は、筒車２１や日の裏車２２、日回し中間車２３等の輪列を介して小月日回し車２５に伝達される。これにより、小月日回し車２５は、第１軸Ｃ１を中心としてＣＣＷ方向に１日あたり１回転の速度で回転する。また、小月日回し車２５に設けられた小月日送りつめ３５は、小月日回し車２５と同期して、第１軸Ｃ１周りのＣＣＷ方向に１日あたり１回転の速度で回転する。
【００６１】
また、小月日回し車２５に伝達された動力は、小月日回し車２５と噛合する日回し伝え車２４を介して、日回し車４０に伝達される。これにより、日回し車４０は、ＣＣＷ方向に１日あたり１回転の速度で回転する。また、日回し車４０に設けられた日回しつめ４２は、日回し車４０と同期して、ＣＣＷ方向に１日あたり１回転の速度で回転する。
【００６２】
日回しつめ４２の当接部４５は、回転により日車５０の日車歯部５１に当接した後、時刻の経過に伴い日車歯部５１を押す。なお、日回しつめ４２の当接部４５が日車５０の日車歯部５１に当接する時間は、一般に日が替わる午前０時前の所定時間（例えば午後２３時から翌日午前０時までの間）に設定される。そして、日車歯部５１が日回しつめ４２の当接部４５により押されて所定角度だけＣＷ方向に回転すると、日ジャンパ５６の先端部５７と日車歯部５１との係合が一旦解除されて再度係合する。これにより、日車５０は、所定の角度ピッチで１日に１ステップずつＣＷ方向に回転し、１ヶ月で１回転する。
【００６３】
また、日車５０と連結されて同期して回転する日カム６１は、１日に１ステップずつＣＷ方向に回転し、１ヶ月で１回転する。
ここで、復針レバー７０は、従節部７１が日カム６１の回転によって最内部６４から最外部６３に向かって相対的に移動することにより、初期位置（月の初日に対応した位置）から終期位置（月の末日に対応した位置）に向かって移動する。これにより、復針レバー７０のレバー歯部７４と噛合する日針車６７は、１日で１ステップずつＣＷ方向に回転する。また、日針車６７に取り付けられた日針７は、日針車６７の回転に対応して、日が替わる午前０時頃に１日分だけ運針される。このように、カレンダ機構１０は、月の初日から末日かけて日針７を１ステップずつ運針させる。
【００６４】
そして、月の末日から翌月の初日に切り替わるとき、カレンダ機構１０は、以下のように日針７を運針させる。
まず、大月の動作について説明する。
大月の場合、末日が３１日であるので、月末の日送りを日回し車４０のみにより行う。具体的に、大月の３１日に日回し車４０に設けられた日回しつめ４２を日車歯部５１に係合させて日車５０を１ステップ回転させる。つまり、大月の２８日から３０日までの期間、月末つめ５３のつめ部５５に対して小月日送りつめ３５を回避させる必要がある。
【００６５】
図５は、実施形態に係るカレンダ機構の動作を説明する図であって、大月の２８日における日送り機構の一部の構成を示す平面図である。
図５に示すように、月カム２７は、大月において、外周面のうち日車５０の中心に向く部分に底部が位置するように形成されている。これにより、小月日送りつめ３５は、２８日から３０日に、月カム２７により最内位置に退避し、月末つめ５３に係合することなく、時刻の経過に伴い回転する。したがって、日車５０は、小月日送りつめ３５により押されることなく、日ジャンパ５６によって位置が規制された状態で停止している。また、日車５０と同期して回転する日カム６１も、回転することなく停止している。
【００６６】
そして、日回し車４０に設けられた日回しつめ４２は、回転により日車５０の日車歯部５１に当接した後、時刻の経過に伴い日車歯部５１を押す。そして、日車歯部５１が日回しつめ４２の当接部４５により押され、所定角度だけＣＷ方向に回転すると、日ジャンパ５６の先端部５７と日車歯部５１との係合が一旦解除されて再度係合する。これにより、日車５０および日カム６１は、所定の角度ピッチで１ステップ回転する。これにより、日針７は、３１日から１日に切り替わることにより、１日分だけ運針する。
【００６７】
次に、小月のうち２月以外の月の動作について説明する。
小月のうち２月以外の月の場合、末日が３０日であるので、月末の日送りを日回し車４０と小月日回し車２５の両方により行う。具体的に、小月のうち２月以外の月の３０日に月末つめ５３のつめ部５５に小月日送りつめ３５を係合させて日車５０を１ステップ回転させ、さらに日回し車４０に設けられた日回しつめ４２を日車歯部５１に係合させて日車５０を１ステップ回転させる。つまり、小月のうち２月以外の月の２８日から２９日までの期間、月末つめ５３のつめ部５５に対して小月日送りつめ３５を回避させ、３０日に月末つめ５３のつめ部５５に対して小月日送りつめ３５を係合させて日車５０を１ステップ回転させる。
【００６８】
図６は、実施形態に係るカレンダ機構の動作を説明する図であって、小月のうち２月以外の月の３０日における日送り機構の一部の構成を示す平面図である。
図６に示すように、月カム２７は、小月のうち２月以外の月において、３０日に対応する位置にある月末つめ５３のつめ部５５に、第１凸部２７ｂ〜２７ｅのうち当月に対応する第１凸部の頂部が対向するように形成されている。これにより、小月日送りつめ３５は、２８日および２９日に、月カム２７により最内位置に退避し、３０日に、月カム２７により最外位置に配置される。月末つめ５３のつめ部５５は、日車５０が３０日に対応する位置にあるとき、最外位置にある小月日送りレバー３０の回転軌跡の内側に配置される。このため、小月日送りつめ３５は、小月日回し車２５の回転により月末つめ５３に当接して係合した後、時刻の経過に伴い月末つめ５３のつめ部５５を押して日車５０を第１角度回転させる。なお、小月日送りつめ３５が月末つめ５３のつめ部５５に当接する時間は、一般に日が替わる午前０時前の所定時間（例えば午後２１時から午後２２時までの間）に設定される。なお、小月日送りつめ３５が月末つめ５３のつめ部５５に当接する時間は、日回しつめ４２と小月日回しつめ３５の位相（すなわち、日回しつめ４２の当接部４５の位置を調節）を変えることにより任意に設定することができる。
本実施形態では、午前０時前の所定時間に、小月日送りつめ３５が月末つめ５３のつめ部５５に当接するようになっているが、例えば午前１時から３時までの間に、小月日送りつめ３５が月末つめ５３のつめ部５５に当接するようにしてもよい。
【００６９】
そして、月末つめ５３が小月日送りつめ３５により押され、月末つめ５３と同期して回転する日車５０が所定角度だけＣＷ方向に回転すると、日ジャンパ５６の先端部５７と日車歯部５１との係合が一旦解除されて再度係合する。これにより、日車５０および日カム６１は、所定の角度ピッチで１ステップ回転する。これにより、日針７は、３０日から３１日に切り替わることにより、１日分だけ運針することとなる。
【００７０】
さらに、日回し車４０に設けられた日回しつめ４２は、回転により日車５０の日車歯部５１に当接した後、時刻の経過に伴い日車歯部５１を押す。そして、日車歯部５１が日回しつめ４２の当接部４５により押され、所定角度だけＣＷ方向に回転すると、日ジャンパ５６の先端部５７と日車歯部５１との係合が一旦解除されて再度係合する。これにより、日車５０および日カム６１は、所定の角度ピッチで１ステップ回転する。これにより、日針７は、３１日から１日に切り替わることにより、１日分だけ運針することとなる。
上述した動作により、小月のうち２月以外の月の場合、日車５０および日カム６１は、所定の角度ピッチで１日に２ステップ回転する。換言すれば、この動作によって、日針７は、３０日から、３１日を早送りして、１日に切り替わる。
【００７１】
次に、２月の動作について説明する。
２月の場合、閏年を除いて末日が２８日であるので、月末の日送りを日回し車４０と小月日回し車２５の両方により行う。具体的に、２月の２８日に月末つめ５３のつめ部５５に小月日送りつめ３５を係合させて日車５０を３ステップ回転させ、さらに日回し車４０に設けられた日回しつめ４２を日車歯部５１に係合させて日車５０を１ステップ回転させる。
【００７２】
図７は、実施形態に係るカレンダ機構の動作を説明する図であって、２月の２８日における日送り機構の一部の構成を示す平面図である。
図７に示すように、月カム２７は、２月において、２８日から３０日までの期間に対応する位置にある月末つめ５３のつめ部５５に、第２凸部２７ａの頂部が対向するように形成されている。これにより、小月日送りつめ３５は、２８日に、月カム２７により最外位置に配置される。また、月末つめ５３のつめ部５５は、日車５０が２８日から３０日までの期間に対応する位置にあるとき、最外位置にある小月日送りレバー３０の回転軌跡の内側に配置される。ここで、第２凸部２７ａの頂部は、第１軸Ｃ１周りの周方向において、第１凸部２７ｂ〜２７ｅの頂部の寸法よりも大きくなっている。このため、小月日送りつめ３５は、上述した小月のうち２月以外の月の場合よりも長い時間に亘って最外位置に配置される。このため、小月日送りつめ３５は、小月日回し車２５の回転により２８日に月末つめ５３に当接して係合した後、時刻の経過に伴い月末つめ５３のつめ部５５を押して、日車５０を上述した第１角度よりも大きい第２角度回転させる。
【００７３】
そして、月末つめ５３が小月日送りつめ３５により押され、月末つめ５３と同期して回転する日車５０がＣＷ方向に第２角度回転すると、日ジャンパ５６の先端部５７と日車歯部５１との係合の解除および再係合が３回繰り返される。これにより、日車５０および日カム６１は、所定の角度ピッチで３ステップ回転する。これにより、日針７は、２８日から３１日に切り替わることにより、３日分だけ運針することとなる。
【００７４】
さらに、日回し車４０に設けられた日回しつめ４２は、回転により日車５０の日車歯部５１に当接した後、時刻の経過に伴い日車歯部５１を押す。そして、日車歯部５１が日回しつめ４２の当接部４５により押され、所定角度だけＣＷ方向に回転すると、日ジャンパ５６の先端部５７と日車歯部５１との係合が一旦解除されて再度係合する。これにより、日車５０および日カム６１は、所定の角度ピッチで１ステップ回転する。これにより、日針７は、３１日から１日に切り替わることにより、１日分だけ運針することとなる。
上述した動作により、２月の場合、日車５０および日カム６１は、所定の角度ピッチで１日に４ステップ回転する。換言すれば、この動作によって、日針７は、２８日から、２９日、３０日および３１日を早送りして、１日に切り替わる。
【００７５】
そして、復針レバー７０の従節部７１は、日カム６１が大月の末日である３１日において１ステップ回転し、小月のうち２月以外の月の３０日において２ステップ回転し、２月の２８日において４ステップ回転することにより、日カム６１の最外部６３を通過する。また、復針レバー７０は、従節部７１が最外部６３を通過したあと、戻し車７８の付勢力により終期位置から初期位置に瞬時に移動する（図３における二点鎖線参照）。これにより、復針レバー７０の従節部７１は、日カム６１の最内部６４に相対的に移動する。
【００７６】
このとき、大月の末日の場合、日針車６７は、復針レバー７０の終期位置から初期位置への移動に対応して、瞬時にＣＣＷ方向に回転する。これにより、日針車６７に取り付けられた日針７は、末日の「３１」を指示する位置から初日の「１」を指示する位置に瞬時に移動する。
【００７７】
また、小月のうち２月以外の月の３０日の場合、日針車６７は、月末つめ５３による日車５０および日カム６１の１ステップの回転に対応して、復針レバー７０が終期位置に到達する。このとき、日針車６７は、ＣＷ方向に１ステップ回転する。また、日針車６７に取り付けられた日針７は、小月の末日である「３０」を指示する位置から「３１」を指示する位置に移動する。
次いで、日針車６７は、大月の場合と同様に、復針レバー７０の終期位置から初期位置への移動に対応して、瞬時にＣＣＷ方向に回転する。これにより、日針車６７に取り付けられた日針７は、末日の「３１」を指示する位置から初日の「１」を指示する位置に瞬時に移動する。
【００７８】
さらに、２月の２８日の場合、日針車６７は、月末つめ５３による日車５０および日カム６１の３ステップの回転に対応して、復針レバー７０が終期位置に到達する。このとき、日針車６７は、ＣＷ方向に３ステップ回転する。また、日針車６７に取り付けられた日針７は、小月の末日である「２８」を指示する位置から「３１」を指示する位置に移動する。
次いで、日針車６７は、大月の場合と同様に、復針レバー７０の終期位置から初期位置への移動に対応して、瞬時にＣＣＷ方向に回転する。これにより、日針車６７に取り付けられた日針７は、末日の「３１」を指示する位置から初日の「１」を指示する位置に瞬時に移動する。
【００７９】
このように、本実施形態のカレンダ機構１０によれば、大月の末日において、日車５０が日回しつめ４２に押されて１ステップ回転することにより、日針７が１日分運針する。また、カレンダ機構１０によれば、小月のうち２月以外の月の末日において、月末つめ５３が小月日送りつめ３５に押されて日車５０が１ステップ回転したあと、日車５０が日回しつめ４２に押されてさらに１ステップ回転することにより、日針７が２日分運針する。また、カレンダ機構１０によれば、２月の末日において、月末つめ５３が小月日送りつめ３５に押されて日車５０が３ステップ回転したあと、日車５０が日回しつめ４２に押されてさらに１ステップ回転することにより、日針７が４日分運針する。
【００８０】
さらに、月の末日から翌月の初日への移行時において、復針レバー７０が終期位置から初期位置へ移動することにより、月送りつめ７５は、月車８０の月車歯部８１を押す。そして、月車歯部８１が月送りつめ７５により押され、所定角度だけＣＣＷ方向に回転すると、月ジャンパ８６の先端部８７と月車歯部８１との係合が一旦解除されて再度係合する。これにより、月車８０および月カム２７は、３０°ピッチで１ステップ回転する。これにより、月車８０と連動する月表示ディスク５を回転させて、月を送ることができる。また、このとき、月カム２７の凸部２７ａ〜２７ｅの位置も変化する。したがって、小月日送りつめ３５は、大月と小月のうち２月以外の月と２月とに対応して変位することができる。
【００８１】
上記の動作を繰り返すことにより、カレンダ機構１０は、大月の末日において日車５０の１日分の日送りおよび日針７の１日分の運針を行い、小月のうち２月以外の月の末日において日車５０の２日分の日送りおよび日針７の２日分の運針を行い、２月の２８日において日車５０の４日分の日送りおよび日針７の４日分の運針を行い、日の表示を行う。また、本実施形態のカレンダ機構１０は、月の末日において、月表示ディスク５を回転させて月を送り、月の表示を行う。
【００８２】
以上に詳述したように、本実施形態によれば、従来技術のように複雑な遊星歯車機構を用いることなく、小月日回し車２５と、小月日送りつめ３５と、月末つめ５３を有する日車５０と、により、簡単な構成でカレンダ機構１０を構成できる。また、小月日送りつめ３５は、１ヶ月の日数が３０日以下の小月のうち、２月以外の月の末日に月末つめ５３を押して日車５０を第１角度回転させ、２月の末日に月末つめ５３を押して日車５０を第１角度よりも大きい第２角度回転させるので、２月の月末に行う日送りの日数を、小月のうち２月以外の月の月末に行う日送りの日数よりも多くすることができる。これにより、従来技術では手動で行っていた２月の月末の日送りを自動で行うことが可能となる。したがって、簡単に構成できるとともに、２月の月末の日送りを自動で行うことができるカレンダ機構１０を提供できる。
【００８３】
また、カレンダ機構１０は、１年で１回転する月カム２７と、月カム２７の周りを回転する小月日送りレバー３０と、を備え、月カム２７の外周面は、小月のうち２月以外の月に対応する複数の第１凸部２７ｂ〜２７ｅと、２月に対応する第２凸部２７ａと、を有する。このため、小月日送りレバー３０に設けられた小月日送りつめ３５を、小月のうち２月以外の月と、２月と、大月と、に対応して変位させることができる。
【００８４】
そして、第２凸部２７ａは、第１軸Ｃ１周りの周方向において第１凸部２７ｂ〜２７ｅよりも大きく形成されているので、小月日送りレバー３０が第２凸部２７ａに摺接する時間は、第１凸部２７ｂ〜２７ｅのいずれかに摺接する時間よりも長くなる。これにより、２月の末日において小月日送りレバー３０が小月日送りつめ３５を月末つめ５３に係合させる時間は、小月のうち２月以外の月の末日において小月日送りレバー３０が小月日送りつめ３５を月末つめ５３に係合させる時間よりも長くなる。その結果、小月日送りつめ３５は、２月の末日に月末つめ５３を押して日車５０を第１角度よりも大きい第２角度回転させることが可能となり、２月の月末に行う日送りの日数を、小月のうち２月以外の月の月末に行う日送りの日数よりも多くすることができる。したがって、２月の月末の日送りを自動で行うことができるカレンダ機構１０を提供できる。
【００８５】
また、小月日回し車２５には、小月日送りレバー３０の回動範囲を規定する度決めピン３７が設けられている。このため、例えば小月日送りレバー３０が第１軸Ｃ１を挟んで日車５０とは反対側に位置する状態等において、小月日送りレバー３０の回動範囲が規定され、小月日送りレバー３０の他部品への意図しない接触が生じることを防止できる。これにより、カレンダ機構１０を含む各種機構に不具合が生じることを抑制できる。
【００８６】
また、月末つめ５３には、小月日送りつめ３５に接触して、小月日回し車２５と同期して回転する小月日送りつめ３５を月末つめ５３から離間する方向に押圧する側面５５ａが形成されている。これにより、小月日送りつめ３５を月末つめ５３から離間する方向に押圧できるので、小月日送りつめ３５を月末つめ５３から離間する方向に付勢する付勢部材を用いることなく、大月に小月日送りつめ３５を月末つめ５３から離間させることができる。これにより、大月に小月日送りつめ３５が月末つめ５３を押して日車５０を回転させることを防止できる。したがって、カレンダ機構１０の誤作動を防止できる。
【００８７】
また、月車８０が第１軸Ｃ１を中心として回転し、日車５０が第２軸Ｃ２を中心として回転するので、月車と日車とが同軸に配置された構成と比較して、月車８０と連動する月表示ディスク５と、日車５０と連動する日針７等の日表示手段とを、それぞれ自由にレイアウトできる。したがって、簡単に構成できるとともに、月日の表示レイアウトの自由度に優れたカレンダ機構１０とすることができる。
【００８８】
そして、本実施形態のムーブメント１００および時計１によれば、簡単に構成できるとともに、２月の月末の日送りを自動で行うことができるカレンダ機構１０を備えているので、信頼性と利便性に優れたムーブメント１００および時計１を提供することができる。
【００８９】
なお、本発明は、図面を参照して説明した上述の実施形態に限定されるものではなく、その技術的範囲において様々な変形例が考えられる。
例えば、上記実施形態においては、月カム２７は、月車８０と同期して１年で１回転するが、これに限定されない。例えば、月カムは、月車と同期して４年で１回転するように構成されていてもよい。この場合、月カムの外周面に、閏年の２月に対応する第２凸部と、閏年以外の年の２月に対応する３つの第２凸部と、を設け、それぞれの第２凸部の寸法を適宜調整することで、閏年の２月の月末の日送りも自動で行うことが可能となる。具体的に、第１軸Ｃ１周りの周方向において、閏年に対応する第２凸部を、他の第２凸部よりも小さく、かつ第１凸部よりも大きくすることで、閏年の２月の２８日に日送りを行わず２９日に日送りを行う構成を実現することができる。なお、ここでいう同期とは、月カムと月車とが同時に動くことであり、回転角が同じ場合および異なる場合の両方を含む。
【００９０】
また、上記実施形態においては、カレンダ機構１０は、月カム２７、小月日回し車２５および小月日送りつめ３５が第１軸Ｃ１を中心として回転し、日回し車４０および日回しつめ４２が第１軸Ｃ１とは異なる軸を中心として回転するように構成されている。しかしながらこれに限定されず、月カム、小月日回し車および日回し車を同軸に設けることにより、月カム、小月日回し車、日回し車、小月日送りつめおよび日回しつめが第１軸Ｃ１を中心として回転するように構成してもよい。これにより、カレンダ機構を小型化することができる。
【００９１】
また、上記実施形態においては、日針７は、日針車６７に連結され、往復運針するように構成されているが、これに限定されない。例えば、日針は、日車に取り付けられ、回転運針するように構成されていてもよい。
【００９２】
また、上記実施形態では、復針レバー７０を月車８０に接近する方向に付勢する付勢部材として、ひげぜんまい部７９を備えた戻し車７８を採用していたが、これに限定されない。例えば、復針レバー７０を付勢する付勢部材として、例えばコイルバネ等を採用してもよい。
【００９３】
また、上記実施形態では、月表示手段として月表示ディスク５を採用していたが、これに限定されない。例えば、月表示手段として、文字板２に月を表す文字の記載を行うとともに月針により指示する構成としてもよい。また、上記実施形態では、日表示手段として日針７，７Ｂを採用していたが、これに限定されない。例えば、日表示手段として、日表示ディスクに日を表す文字の記載を行うとともに、日窓から日を表す文字を露出させる構成としてもよい。
【００９４】
その他、本発明の趣旨を逸脱しない範囲で、上記した実施の形態における構成要素を周知の構成要素に置き換えることは適宜可能である。
【符号の説明】
【００９５】
１…時計  １０…カレンダ機構  ２５…小月日回し車  ２７…月カム  ２７ａ…第２凸部  ２７ｂ，２７ｃ，２７ｄ，２７ｅ…第１凸部  ３０…小月日送りレバー  ３４…摺接つめ（摺接部）  ３５…小月日送りつめ  ３７…度決めピン  ５０…日車  ５３…月末つめ  ５５ａ…側面（押圧部）  １００…ムーブメント  Ｃ１…第１軸（所定軸）
【図１】
2018128377.tif 000003
【図２】
2018128377.tif 000004
【図３】
2018128377.tif 000005
【図４】
2018128377.tif 000006
【図５】
2018128377.tif 000007
【図６】
2018128377.tif 000008
【図７】
2018128377.tif 000009